(57)【要約】【課題】ユーザが複数の設定画像を用いて複数の撮像パラメータを設定する場合に、ユーザがこれらの撮像パラメータを直感的に設定できることが望まれていた。【解決手段】本開示によれば、撮像に関する第１の撮像パラメータを設定するための第１の設定画像と、撮像に関する第２の撮像パラメータを設定するための第２の設定画像とを関連付けて表示する制御を行う制御部と、第１の撮像パラメータ及び第２の撮像パラメータを設定するための入力操作が可能な入力操作部と、を備える、情報処理装置が提供される。【選択図】図１
2018060229.tif 000002
【特許請求の範囲】
【請求項１】
撮像に関する第１の撮像パラメータを設定するための第１の設定画像と、撮像に関する第２の撮像パラメータを設定するための第２の設定画像とを関連付けて表示する制御を行う制御部と、
前記第１の撮像パラメータ及び前記第２の撮像パラメータを設定するための入力操作が可能な入力操作部と、を備え、
前記制御部は、前記第１の撮像パラメータの設定値に応じた基準線を表示し、前記基準線と前記第２の設定画像とを関連付けて表示する制御を行い、
前記第２の設定画像上の各点は、前記第２の撮像パラメータの値を示し、
前記制御部は、前記第２の設定画像を、前記第１の撮像パラメータの設定値に応じた位置に表示する制御を行い、
前記制御部は、前記第２の設定画像を前記基準線と交差する位置に表示し、
前記制御部は、前記第２の設定画像と前記基準線とが交差する点を前記第２の撮像パラメータの設定値とする、情報処理装置。
【請求項２】
前記制御部は、複数の前記第１の撮像パラメータを設定するための空間画像を前記第１の設定画像として表示する制御を行う、請求項１記載の情報処理装置。
【請求項３】
前記第１の撮像パラメータには、シャッタースピード及び絞り値が含まれ、
前記第２の撮像パラメータには、ＩＳＯ値が含まれる、請求項２記載の情報処理装置。
【請求項４】
前記制御部は、シャッタースピード及び絞り値を設定するための平面画像を前記第１の設定画像として表示し、ＩＳＯ値を設定するためのバー画像を前記第２の設定画像として表示する制御を行う、請求項３記載の情報処理装置。
【請求項５】
前記制御部は、前記第２の設定画像を前記第１の設定画像に組込む、請求項１記載の情報処理装置。
【請求項６】
前記制御部は、前記第２の設定画像を前記第１の設定画像の背景画像に含ませる、請求項５記載の情報処理装置。
【請求項７】
制御部が、撮像に関する第１の撮像パラメータを設定するための第１の設定画像と、撮像に関する第２の撮像パラメータを設定するための第２の設定画像とを関連付けて表示する制御を行うことと、
前記制御部が、入力操作に応じて、前記第１の撮像パラメータ及び前記第２の撮像パラメータを設定することと、を含み、
前記制御部は、前記第１の撮像パラメータの設定値に応じた基準線を表示し、前記基準線と前記第２の設定画像とを関連付けて表示する制御を行い、
前記第２の設定画像上の各点は、前記第２の撮像パラメータの値を示し、
前記制御部は、前記第２の設定画像を、前記第１の撮像パラメータの設定値に応じた位置に表示する制御を行い、
前記制御部は、前記第２の設定画像を前記基準線と交差する位置に表示し、
前記制御部は、前記第２の設定画像と前記基準線とが交差する点を前記第２の撮像パラメータの設定値とする、情報処理方法。
【請求項８】
コンピュータに、
撮像に関する第１の撮像パラメータを設定するための第１の設定画像と、撮像に関する第２の撮像パラメータを設定するための第２の設定画像とを関連付けて表示する制御を行う制御機能と、
前記第１の撮像パラメータ及び前記第２の撮像パラメータを設定するための入力操作が可能な入力操作機能と、を実現させ、
前記制御機能は、前記第１の撮像パラメータの設定値に応じた基準線を表示し、前記基準線と前記第２の設定画像とを関連付けて表示する制御を行い、
前記第２の設定画像上の各点は、前記第２の撮像パラメータの値を示し、
前記制御機能は、前記第２の設定画像を、前記第１の撮像パラメータの設定値に応じた位置に表示する制御を行い、
前記制御機能は、前記第２の設定画像を前記基準線と交差する位置に表示し、
前記制御機能は、前記第２の設定画像と前記基準線とが交差する点を前記第２の撮像パラメータの設定値とする、プログラム。
【発明の詳細な説明】
【技術分野】
【０００１】
本開示は、情報処理装置、情報処理方法、及びプログラムに関する。
【背景技術】
【０００２】
特許文献１には、シャッタースピードと絞り値とを設定するためのグラフを表示する技術が開示されている。
【先行技術文献】
【特許文献】
【０００３】
【特許文献１】特開２００６−１７８０１５号公報
【発明の概要】
【発明が解決しようとする課題】
【０００４】
しかし、特許文献１には、複数の設定画像を用いて複数の撮像パラメータを設定することについては何ら開示されていなかった。
【０００５】
一方、ユーザが複数の設定画像を用いて複数の撮像パラメータを設定する場合に、ユーザがこれらの撮像パラメータを直感的に設定できることが望まれていた。
【課題を解決するための手段】
【０００６】
本開示によれば、撮像に関する第１の撮像パラメータを設定するための第１の設定画像と、撮像に関する第２の撮像パラメータを設定するための第２の設定画像とを関連付けて表示する制御を行う制御部と、第１の撮像パラメータ及び第２の撮像パラメータを設定するための入力操作が可能な入力操作部と、を備える、情報処理装置が提供される。
【０００７】
本開示によれば、撮像に関する第１の撮像パラメータを設定するための第１の設定画像と、撮像に関する第２の撮像パラメータを設定するための第２の設定画像とを関連付けて表示する制御を行うことと、入力操作に応じて、第１の撮像パラメータ及び第２の撮像パラメータを設定することと、を含む、情報処理方法が提供される。
【０００８】
本開示によれば、コンピュータに、撮像に関する第１の撮像パラメータを設定するための第１の設定画像と、撮像に関する第２の撮像パラメータを設定するための第２の設定画像とを関連付けて表示する制御を行う制御機能と、第１の撮像パラメータ及び第２の撮像パラメータを設定するための入力操作が可能な入力操作機能と、を実現させる、プログラムが提供される。
【０００９】
本開示によれば、第１の撮像パラメータを設定するための第１の設定画像と、第２の撮像パラメータを設定するための第２の設定画像とを関連付けて表示する。したがって、ユーザは、互いに関連付けられた複数の設定画像を視認しながら複数の撮像パラメータを設定することができる。
【発明の効果】
【００１０】
以上説明したように本開示によれば、ユーザは、複数の設定画像を用いて複数の撮像パラメータを設定する場合に、これらの撮像パラメータの関連性を直感的に把握することができ、ひいては、これらの撮像パラメータを直感的に設定できる。なお、本開示に係る技術による効果はここで記載された効果に限定されない。本開示に係る技術は、本明細書中に記載されたいずれかの効果、または他の効果を有するものであってもよい。
【図面の簡単な説明】
【００１１】
【図１】本開示の第１の実施形態に係る情報処理装置の構成を示すブロック図である。
【図２】同実施形態に係る情報処理装置のハードウエア構成図である。
【図３】情報処理装置による処理の手順を示すフローチャートである。
【図４】情報処理装置による表示例を示す説明図である。
【図５】情報処理装置による表示例を示す説明図である。
【図６】情報処理装置による表示例を示す説明図である。
【図７】情報処理装置による表示例を示す説明図である。
【図８】情報処理装置による表示例を示す説明図である。
【図９】情報処理装置による表示例を示す説明図である。
【図１０】情報処理装置による表示例を示す説明図である。
【図１１】情報処理装置による表示例を示す説明図である。
【図１２】情報処理装置による表示例を示す説明図である。
【図１３】情報処理装置による表示例を示す説明図である。
【図１４】情報処理装置による表示例を示す説明図である。
【図１５】情報処理装置による表示例を示す説明図である。
【図１６】情報処理装置による表示例を示す説明図である。
【図１７】情報処理装置による表示例を示す説明図である。
【図１８】情報処理装置による表示例を示す説明図である。
【図１９】情報処理装置による表示例を示す説明図である。
【図２０】本開示の第２の実施形態に係る情報処理システムの構成を示す外観図である。
【図２１】同実施形態に係る撮像装置の構成を示すブロック図である。
【図２２】撮像装置のハードウエア構成図である。
【発明を実施するための形態】
【００１２】
以下に添付図面を参照しながら、本開示の好適な実施の形態について詳細に説明する。なお、本明細書及び図面において、実質的に同一の機能構成を有する構成要素については、同一の符号を付することにより重複説明を省略する。
【００１３】
なお、説明は以下の順序で行うものとする。
１．第１の実施形態（情報処理装置が撮像及び表示を行う例）
１−１．情報処理装置による処理の概要
１−２．情報処理装置の構成
１−３．情報処理装置による処理
１−４．各種表示例
２．第２の実施形態（情報処理装置が表示を行い、撮像装置が撮像を行う例）
２−１．情報処理システムの全体構成
２−２．撮像装置の構成
２−３．情報処理システムによる処理の手順
【００１４】
＜１．第１の実施形態＞
（１−１．情報処理装置による処理の概要）
第１の実施形態に係る情報処理装置１０は、概略的には、撮像に関する第１の撮像パラメータを設定するための第１の設定画像と、撮像に関する第２の撮像パラメータを設定するための第２の設定画像とを関連付けて表示する。
【００１５】
第１の撮像パラメータは、例えばシャッタースピード（Ｔｖ）及び絞り値（Ａｖ）を含む。第１の設定画像は、例えばシャッタースピード（Ｔｖ）及び絞り値（Ａｖ）を一括で設定するためのｘｙ平面画像（Ｔｖ／Ａｖ平面画像）である。ｘ軸（横軸）は例えばＴｖを示し、ｙ軸（縦軸）は例えばＡｖを示す。ユーザは、Ｔｖ／Ａｖ平面画像のうち１点を指定することで、Ｔｖ値及びＡｖ値の組み合わせ（Ｔｖ／Ａｖ値）を設定することができる。
【００１６】
第２の撮像パラメータは、例えばＩＳＯ値を含む。第２の設定画像は、ＩＳＯ値を設定するためのバー画像（ＩＳＯバー画像）である。ＩＳＯバー画像上の各点はＩＳＯ値に対応しており、ユーザは、ＩＳＯバー画像上の点を所定の基準線に合わせることで、ＩＳＯ値を設定することができる。
【００１７】
また、情報処理装置１０は、第１の設定画像と第２の設定画像とを関連付けて表示する。例えば、情報処理装置１０は、Ｔｖ／Ａｖ平面画像から上述した基準線を伸ばす。そして、情報処理装置１０は、ＩＳＯバー画像を基準線に交差させる。より具体的には、情報処理装置１０は、ＩＳＯバー画像のうち、ＩＳＯ値の最適値（または初期値）に相当する部分を基準線に交差させる。
【００１８】
なお、第１の撮像パラメータ及び第２の撮像パラメータは上記の例に限られず、撮像に関するパラメータであればどのようなものであっても良いことはもちろんである。すなわち、本実施形態は、複数の撮像パラメータを複数の設定画像を用いて設定するものであればどのようなものであってもよい。なお、上記以外の撮像パラメータの例としては、ＲＧＢ（赤、緑、青）の組み合わせ、彩度、明度、コントラスト（あるいはシャープネス、輝度等）の組み合わせ等があげられる。
【００１９】
前者の場合、例えば第１の撮像パラメータがＲＧとなり、第１の設定画像はＲＧを一括で設定するためのＲＧ平面画像（すなわち色空間）となる。そして、第２の撮像パラメータはＢとなり、第２の設定画像はＢを設定するためのＢバー画像となる。ＲＧ平面画像及びＢバー画像の内容はＴｖ／Ａｖ平面画像及びＩＳＯバー画像と同様であればよい。
【００２０】
後者の場合、例えば第１の撮像パラメータが彩度、明度となり、第１の設定画像は彩度及び明度を一括で設定するためのｘｙ平面画像（彩度／明度平面画像）となる。そして、第２の撮像パラメータはコントラストとなり、第２の設定画像はコントラストを設定するためのコントラストバー画像となる。彩度／明度平面画像及びコントラストバー画像の内容はＴｖ／Ａｖ平面画像及びＩＳＯバー画像と同様であればよい。
【００２１】
ＲＧＢの組み合わせ及び輝度、明度、コントラストの組み合わせにおいて、各パラメータの主従関係は特に問われない。例えば、ＲＢを第１の撮像パラメータとしてもよい。また、上記の例では第１の撮像パラメータは複数存在するが、１つであってもよい。この場合、第１の設定画像は各バー画像と同様のものであればよい。以下の説明では、第１の撮像パラメータをＴｖ、Ａｖとし、第２の撮像パラメータをＩＳＯ値とする。
【００２２】
（１−２．情報処理装置の構成）
つぎに、図１及び図２に基づいて、本実施形態に係る情報処理装置１０の構成について説明する。
【００２３】
図１に示すように、情報処理装置１０は、記憶部１１、通信部１２、撮像部１３、表示部１４、操作部（入力操作部）１５、及び制御部１６を備える。記憶部１１は、情報処理装置１０に記憶部１１、通信部１２、撮像部１３、表示部１４、操作部１５、及び制御部１６を実現させるためのプログラム、及び各種画像情報（例えばＴｖ／Ａｖ平面画像及びＩＳＯバー画像）を記憶する。
【００２４】
通信部１２は、他の情報処理装置との間で通信を行う。撮像部１３は、撮像を行う。具体的には、撮像部１３は、ユーザが撮像操作（例えば図示しないシャッターボタンを押下する）を行うまでは、撮像素子に取り込まれた画像をスルー画像として制御部１６に出力する。撮像部１３は、ユーザが撮像操作を行った場合には、Ｔｖ／Ａｖ値及びＩＳＯ値の設定値に応じた撮像を行う（具体的には、シャッターを切る等の動作を行う）。そして、撮像部１３は、撮像素子に取り込まれた画像を撮像画像として制御部１６に出力する。
【００２５】
表示部１４は各種画像、例えば上述したＴｖ／Ａｖ平面画像、ＩＳＯバー画像、及び撮像画像等を表示する。操作部１５は、例えばタッチパネルであり、表示部１４の表面に配置される。操作部１５は、ユーザによる各種入力操作、例えばＴｖ、Ａｖ、及びＩＳＯ値を設定するための入力操作が可能である。操作部１５は、ユーザが行った入力操作に関する操作情報を制御部１６に出力する。制御部１６は、情報処理装置１０全体を制御する他、Ｔｖ／Ａｖ平面画像及びＩＳＯバー画像を関連付けて表示する制御、Ｔｖ／Ａｖ値及びＩＳＯ値を設定する等を行う。
【００２６】
情報処理装置１０は、図２に示すハードウエア構成を有し、これらのハードウエア構成によって上記の記憶部１１、通信部１２、撮像部１３、表示部１４、操作部１５、及び制御部１６が実現される。
【００２７】
すなわち、情報処理装置１０は、ハードウエア構成として、不揮発性メモリ１０１と、ＲＡＭ１０２と、通信装置１０３と、撮像装置１０４と、ディスプレイ１０５と、タッチパネル１０６と、ＣＰＵ１０７とを備える。
【００２８】
不揮発性メモリ１０１は、各種プログラム及び画像情報等を記憶する。ここで、当該プログラムには、情報処理装置１０に記憶部１１、通信部１２、撮像部１３、表示部１４、操作部１５、及び制御部１６を実現させるためのプログラムが含まれる。
【００２９】
ＲＡＭ１０２は、ＣＰＵ１０７による作業領域となるものである。通信装置１０３は、他の情報処理装置と通信を行う。撮像装置１０４は、撮像を行うことで、撮像画像を生成する。ディスプレイ１０５は、各種画像情報を表示する。ディスプレイ１０５は、音声情報を出力しても良い。タッチパネル１０６は、ユーザによる各種入力操作を受け付ける。
【００３０】
ＣＰＵ１０７は、不揮発性メモリ１０１に記憶されたプログラムを読みだして実行する。したがって、ＣＰＵ１０７が不揮発性メモリ１０１に記憶されたプログラムを読みだして実行することで、情報処理装置１０に記憶部１１、通信部１２、撮像部１３、表示部１４、操作部１５、及び制御部１６が実現される。すなわち、ＣＰＵ１０７は、情報処理装置１０の実質的な動作主体となりうるものである。
【００３１】
情報処理装置１０は、具体的には、例えばスマートフォン、スマートタブレット等であるが、上記の要件を満たすものであれば特に制限されない。例えば情報処理装置１０は上記の構成を有する撮像装置であってもよい。ただし、スマートフォン、スマートタブレットは、撮像装置よりも表示画面が広いことが多いので好ましい。また、操作部１５の具体例はタッチパネルであるが、他の操作装置であってもよい。すなわち、Ｔｖ／Ａｖ平面画像及びＩＳＯバー画像を操作できるものであれば特に制限されず、例えば十字キー、ダイヤル等のハードキーであってもよい。ただし、タッチパネルが操作部１５の具体例として好ましい。また、ハードキーを併用した操作では、ユーザは、ハードキーを確認しながら撮像を行う必要があるので、撮像操作が分断される可能性がある。例えば、ユーザは、ハードキーの確認と表示部１４の表示とを別々に確認する必要が生じうる。
【００３２】
（１−３．情報処理装置による処理の手順）
次に、情報処理装置１０による処理の手順を図３に示すフローチャートに沿って説明する。
【００３３】
ステップＳ１０において、撮像部１３は、撮像を行い、これによって得られた撮像画像を制御部１６に出力する。制御部１６は、撮像画像をスルー画像として表示部１４に表示する。
【００３４】
ステップＳ２０において、制御部１６は、Ｔｖ／Ａｖ平面画像及びＩＳＯ画像をスルー画像に重畳させて表示する。制御部１６は、他の画像をスルー画像に重畳させて表示してもよい。制御部１６は、スルー画像に重畳する画像を透過表示してもよい。
【００３５】
ステップＳ３０において、制御部１６は、入力操作に応じてＴｖ／Ａｖ画像及びＩＳＯ画像の表示制御を行い、Ｔｖ／Ａｖ値及びＩＳＯ値を設定する。その後、情報処理装置１０は、本処理を終了する。
【００３６】
（１−４．表示例）
（１−４−１．第１の表示例）
次に、図４に基づいて、情報処理装置１０による第１の表示例を説明する。図４の表示例では、撮像モードがマニュアルモード（Ｍ）に設定されている。マニュアルモードは、ユーザがＴｖ／Ａｖ値を任意に選択できるモードである。
【００３７】
図４に示すように、制御部１６は、スルー画像１０００と、表示レイヤインジケータ２１０と、Ｔｖ／Ａｖ平面画像３００と、ＩＳＯバー画像４００と、ダイヤル画像５００と、フォーカスモード選択画像６００と、撮像パラメータ表示画像７００とを表示する。なお、これらの画像のうち、表示レイヤインジケータ２１０、ダイヤル画像５００、フォーカスモード選択画像６００、及び撮像パラメータ表示画像７００は省略可能である。また、制御部１６は、ユーザがＴｖ／Ａｖ平面画像３００またはＩＳＯバー画像４００を操作中の時には、表示レイヤインジケータ２１０、ダイヤル画像５００、フォーカスモード選択画像６００、及び撮像パラメータ表示画像７００を消去してもよい。撮像パラメータ表示画像７００はユーザがＴｖ／Ａｖ平面画像３００またはＩＳＯバー画像４００を操作中の時にも表示されていてもよい。
【００３８】
制御部１６は、スルー画像１０００に重畳させる画像（図４の例では、Ｔｖ／Ａｖ平面画像３００、ＩＳＯバー画像４００、ダイヤル画像５００、フォーカスモード選択画像６００、及び撮像パラメータ表示画像７００）を含む複数の表示レイヤを作製しても良い。そして、制御部１６は、複数の表示レイヤを作製した場合、現在表示中の表示レイヤを示す表示レイヤインジケータ２１０を表示する。制御部１６は、ユーザが表示レイヤ切換操作（例えば図４中左右方向に指をフリックする操作）を行った場合、表示対象の表示レイヤを切り替える。
【００３９】
ダイヤル画像５００には、撮像モードを示す撮像モード記号５１０が周方向に沿って複数描かれており、これらの撮像モード記号５１０のうち、左端の撮像モード記号５２０がハイライト表示されている。撮像モード記号５２０は、現在設定中の撮像モードを示す。すなわち、制御部１６は、ユーザによる入力操作に応じてダイヤル画像５００を回転させ、ダイヤル画像５００の左端に表示された撮像モード記号５２０をハイライト表示する。そして、制御部１６は、現在の撮像モードを撮像モード記号５２０が示す撮像モードに設定する。ダイヤル画像５００を回転させるための入力操作としては、例えば、指をダイヤル画像５００にタップし、その状態で指を円周方向に動かすこと等があげられる。図４の例では、マニュアルモード（Ｍ）が選択されている。
【００４０】
フォーカスモード選択画像６００には、複数のフォーカスモード記号６１０が描かれており、これらのフォーカスモード記号６１０のうち、いずれかのフォーカスモード記号６２０がハイライト表示されている。フォーカスモード記号６２０は、現在選択中のフォーカスモードを示す。制御部１６は、例えばユーザがいずれかのフォーカスモード記号６１０をタップした場合には、タップされたフォーカスモード記号６１０をハイライト表示し、かつ、そのフォーカスモード記号６１０に対応するフォーカスモードに移行する。撮像パラメータ表示画像７００は、現在設定中の撮像パラメータ（Ｔｖ／Ａｖ、ＩＳＯ値等）を表示する。
【００４１】
Ｔｖ／Ａｖ平面画像３００は、横軸３１０がＴｖ、縦軸３２０がＡｖを示す平面画像である。制御部１６は、ユーザがＴｖ／Ａｖ平面画像３００上のいずれかの点をタップした場合、その点に点Ｐ１を表示する。さらに、制御部１６は、Ｔｖ／Ａｖ値を点Ｐ１が示すＴｖ／Ａｖ値に設定し、点Ｐ１が示すＴｖ／Ａｖ値を横軸３１０及び縦軸３２０上でハイライト表示する。図４の例では、Ｔｖ値が１／２５０、Ａｖ値が２．８に設定されている。ここで、現在の撮像モードはマニュアルモードとなっているので、制御部１６は、Ｔｖ／Ａｖ値に制限を設けない。したがって、ユーザは、Ｔｖ／Ａｖ平面画像３００上の任意の点をタップすることで、Ｔｖ／Ａｖ値を選択（設定）することができる。
【００４２】
さらに、制御部１６は、点Ｐ１を通る基準線３３０をＴｖ／Ａｖ平面画像３００上に表示する。基準線３３０上の各点が示すＴｖ／Ａｖ値は、点Ｐ１と同じ露光量を示す。基準線３３０は、Ｔｖ／Ａｖ平面画像３００の右上端部から外部に延長される。
【００４３】
制御部１６は、点Ｐ１の表示中にユーザが点Ｐ１以外の点をタップした場合、点Ｐ１をその点に移動する。そして、制御部１６は、Ｔｖ／Ａｖ値を移動後の点Ｐ１が示すＴｖ／Ａｖ値に設定する。さらに、制御部１６は、基準線３３０をあらたな点Ｐ１に追従させる。
【００４４】
なお、ユーザがＴｖ／Ａｖ値を選択（設定）する方法は、Ｔｖ／Ａｖ平面画像上の点をタップする方法に限られず、Ｔｖ／Ａｖ平面画像３００上の点を選択できるものであれば特に制限されない。例えば、ユーザは、ドラッグアンドドロップ操作によりＴｖ／Ａｖ平面画像３００上の点を選択してもよい。例えば、制御部１６は、ユーザが点Ｐ１をドラッグした場合、点Ｐ１をユーザの指に追従させ、ユーザが点Ｐ１をドロップした場合、その位置に点Ｐ１を表示する。制御部１６は、タップとドラッグアンドドロップとを併用した操作を受け付けてもよい。そして、制御部１６は、Ｔｖ／Ａｖ値を移動後の点Ｐ１が示すＴｖ／Ａｖ値に設定する。
【００４５】
ＩＳＯバー画像４００は、ＩＳＯ値を選択するための画像である。ＩＳＯバー画像４００の長さ方向上の各点は、ＩＳＯ値を示し、上端点４１０はＩＳＯ値の最大値を示し、下端点４２０はＩＳＯ値の最小値を示す。図４の例では、最大値は１６０００，最小値は１００となっているが、最大値及び最小値はこれらの例に限られない。制御部１６は、ＩＳＯバー画像４００の上端点４１０の近傍に最大値表示画像４１０ａを表示し、下端点４２０の近傍に最小値表示画像４２０ａを表示する。
【００４６】
制御部１６は、ＩＳＯバー画像４００をＴｖ／Ａｖ平面画像３００に関連付けて表示する。具体的には、制御部１６は、基準線３３０と交差する位置にＩＳＯバー画像４００を表示する。より具体的には、制御部１６は、ＩＳＯバー画像４００と基準線３３０とが交差する点Ｐ２が示すＩＳＯ値をＩＳＯ値の設定値とする。言い換えれば、制御部１６は、ＩＳＯバー画像４００のうち、ＩＳＯ値の設定値に対応する点Ｐ２と基準線３３０とを交差させる。また、制御部１６は、ＩＳＯ値の設定値を示す設定値表示画像４３０を点Ｐ２の近傍に表示する。
【００４７】
さらに、制御部１６は、ユーザによる入力操作に応じてＩＳＯバー画像４００を矢印４００ａ、または矢印４００ｂ方向に移動する。入力操作としては、例えば、ＩＳＯバー画像４００を指でタップし、指を矢印４００ａ、または矢印４００ｂ方向にドラッグする方法があげられる。これによって、点Ｐ２が示す設定値も変動するので、制御部１６は、ＩＳＯ値を点Ｐ２が示す設定値に設定（変更）する。
【００４８】
また、制御部１６は、基準線３３０が移動した場合には、ＩＳＯバー画像４００を基準線３３０に追従させる。ここで、制御部１６は、ＩＳＯ値を現在の値に維持しても良いし、変更後のＴｖ／Ａｖ値に応じた最適値（または予め設定された初期値）に変更してもよい。なお、本実施形態における「最適値」は、制御部１６が最適と判断した値を意味する。前者の場合、制御部１６は、ＩＳＯ値が維持されるように、ＩＳＯバー画像４００の位置を調整する。すなわち、基準線３３０の移動前と移動後とで点Ｐ２のＩＳＯバー画像４００内での位置は不変である。後者の場合、制御部１６は、Ｔｖ／Ａｖ値に応じたＩＳＯ値の最適値を算出し、ＩＳＯ値を当該最適値に設定する（または予め設定された初期値に設定する）。さらに、制御部１６は、点Ｐ２が最適値（または初期値）を示すように、ＩＳＯバー画像４００の位置を調整する。
【００４９】
なお、制御部１６は、初期状態、すなわち図４に示す画像の表示を開始した状態では、Ｔｖ／Ａｖ値及びＩＳＯ値の最適値を算出し、最適値に基づいて点Ｐ１の位置、基準線３３０の位置、及びＩＳＯバー画像４００の位置を調整する。
【００５０】
なお、ＩＳＯ値を設定するための設定画像（第２の設定画像）はバー画像に限られない。例えば、第２の設定画像はダイヤル形状の画像であってもよい。このダイヤル画像は、例えばダイヤル画像５００と同様に円周方向にＩＳＯ値が描かれている。そして、制御部１６は、ダイヤル画像上のいずれかのＩＳＯ値と基準線３３０とを交差させる。制御部１６は、基準線３３０と交差したＩＳＯ値を設定値とする。
【００５１】
さらに、制御部１６は、スルー画像１０００を現在のＴｖ／Ａｖ値及びＩＳＯ値に応じて変動させてもよい。例えば、制御部１６は、現在のＴｖ／Ａｖ値及びＩＳＯ値に応じてスルー画像１０００をぼかす、流す等の処理を行ってもよい。この場合、ユーザは、現在のＴｖ／Ａｖ値及びＩＳＯ値に応じてスルー画像１０００がどのように変動するのかを容易に把握することができる。
【００５２】
なお、制御部１６は、Ｔｖ／Ａｖ値及びＩＳＯ値の設定値を撮像操作毎にリセットしてもよく、維持してもよい。
【００５３】
また、制御部１６は、撮像モードがオートモード（Ｔｖ／Ａｖ値及びＩＳＯ値を自動で設定するモード）に設定されている場合、以下の処理を行ってもよい。すなわち、制御部１６は、ユーザが撮像操作の予備操作（例えば撮像ボタンを半押しする操作）を行う毎に、Ｔｖ／Ａｖ値及びＩＳＯ値の最適値を算出し、これに応じて点Ｐ１、基準線３３０、及びＩＳＯバー画像４００の位置を動的に変更してもよい。これにより、ユーザは、例えば撮像シーン毎にＴｖ／Ａｖ値及びＩＳＯ値がどのように変動するのかを容易に把握することができる。これにより、例えば初心者ユーザ及びハイアマチュアユーザは、撮像装置の仕組みをグラフィカルに理解することができる。この結果、初心者ユーザ及びハイアマチュアユーザは、Ｔｖ／Ａｖ値及びＩＳＯ値に興味を持ち、ひいては、これらの撮像パラメータを自分で変更してみようとする意欲が沸くことが期待される。
【００５４】
第１の表示例によれば、表示部１４には、Ｔｖ／Ａｖ平面画像３００及びＩＳＯバー画像４００が関連付けて表示されるので、ユーザは、これらの撮像パラメータの関連性を直感的に把握することができる。したがって、ユーザは、これらの撮像パラメータを直感的に設定することができる。なお、ユーザは、Ｔｖ／Ａｖ値を先に設定しても、ＩＳＯ値を先に設定してもよい。
【００５５】
さらに、ユーザは、Ｔｖ／Ａｖ平面画像３００上をタップする（またはドラッグアンドドロップする）ステップと、ＩＳＯバー画像４００を移動させるステップとの２ステップだけでＴｖ／Ａｖ値及びＩＳＯ値を設定することができる。したがって、ユーザは、これらの撮像パラメータを容易に設定することができる。さらに、制御部１６は、ユーザ操作に応じてＴｖ／Ａｖ平面画像３００及びＩＳＯバー画像４００を変動させる（例えば点Ｐ１及び基準線３３０を移動させる、ＩＳＯバー画像４００を移動させる等）。したがって、ユーザは、これらの撮像パラメータをグラフィカルかつダイナミックに（フレキシブルに）設定することができる。
【００５６】
また、ベテランユーザは、各撮像パラメータを目で見て納得して撮像に移行することができる。初心者ユーザは、入力操作によって各撮像パラメータがどのように変動するのかを容易に把握することができる。この結果、初心者ユーザは、各撮像パラメータの設定に興味が湧くことが期待される。
【００５７】
さらに、情報処理装置１０は、既存の撮像装置のユーザに対してより効率よい入力操作が可能なインタフェースを提供することができる。一方、情報処理装置１０は、スマートフォンやスマートタブレット等のユーザのように、撮像装置に対して難しさを感じていたユーザに対する敷居を低減することができる。また、情報処理装置１０による表示形態を撮像装置にも適用することで、撮像装置の商品形態が多様化し、より多くのユーザのニーズに応えることができるようになる。
【００５８】
なお、本発明者は、各撮像パラメータをハードキーのみ（例えばダイヤル、ボタン、十字キー等の任意の組み合わせ）で設定する技術についても検討した。しかし、この技術では、１つの撮像パラメータを設定するのに複数ステップの処理を要することが多い。また、ユーザにとっては、撮像パラメータ同士の関連性もわかりにくい。また、ハードキーの数、設置位置によって使い勝手が左右される。ハードキーが少ない場合、これらのハードキーを組み合わせて操作するケースが増大し、操作がより煩雑になりうる。
【００５９】
（１−４−２．第２の表示例）
次に、図５に基づいて、第２の表示例について説明する。第２の表示例は、第１の表示例のＴｖ／Ａｖ平面画像３００及びＩＳＯバー画像４００に明暗グラデーションを付与したものである。なお、図５は、明暗グラデーションをハッチングの濃淡で示した。ハッチングが薄いほど明るいことを示す。
【００６０】
Ｔｖ／Ａｖ平面画像３００の明暗グラデーションはＴｖ／Ａｖ値によって決まる露光量を示す。Ｔｖ／Ａｖ平面画像３００上の点が明るいほどその点が示す露光量が大きい。ＩＳＯバー画像４００の明暗グラデーションはＩＳＯ値を示す。ＩＳＯバー画像４００上の点が明るいほど、その点が示すＩＳＯ値は大きい。なお、明暗グラデーションはＴｖ／Ａｖ平面画像３００及びＩＳＯバー画像４００のいずれか一方だけに付与されていても良い。また、Ｔｖ／Ａｖ平面画像３００の明暗グラデーションは、ユーザがＴｖ／Ａｖ値の設定を行っている場合だけ表示されてもよい。同様に、ＩＳＯバー画像４００の明暗グラデーションは、ユーザがＩＳＯ値の設定を行っている場合だけ表示されてもよい。これにより、ユーザは、Ｔｖ／Ａｖ値及びＩＳＯ値の設定を行わない場合には、被写体に意識を集中させることができる。
【００６１】
また、第２の表示例では、制御部１６は、Ｔｖ／Ａｖ平面画像３００及びＩＳＯバー画像４００の他に撮像ボタン８００を表示する。撮像部１３は、撮像ボタン８００がタップされた場合に、撮像を行う。なお、撮像ボタン８００は省略されてもよい。
【００６２】
第２の表示例によれば、ユーザは、明暗グラデーションの勾配方向を参照することによって露光量及びＩＳＯ値をより直感的に把握することができる。さらに、ユーザは、明暗グラデーションの勾配方向を参照することによって、露光量及びＩＳＯ値を増減させるための操作方向を容易に把握することができる。
【００６３】
（１−４−３．第３の表示例）
次に、図６に基づいて、第３の表示例について説明する。第３の表示例は、ユーザが撮像モードとしてＡモード（絞り優先モード）を選択した場合に表示される。第３の表示例でも、制御部１６は、Ｔｖ／Ａｖ平面画像３００及びＩＳＯバー画像４００を表示するが、以下の点が第１の表示例と異なる。
【００６４】
このモードでは、制御部１６は、スライダバー画像３４０をＴｖ／Ａｖ平面画像３００の近傍、より具体的には、縦軸３２０の近傍に表示する。このモードでは、制御部１６は、ユーザによるＴｖ／Ａｖ平面画像３００内のタップ（またはドラッグアンドドロップ）操作を受け付けず、そのかわり、スライダバー画像３４０の操作を受け付ける。
【００６５】
すなわち、制御部１６は、ユーザによる入力操作に応じてスライダバー画像３４０を矢印３４０ａ、または矢印３４０ｂ方向に移動する。入力操作としては、例えば、スライダバー画像３４０を指でタップし、指を矢印３４０ａ、または矢印３４０ｂ方向にドラッグする方法があげられる。制御部１６は、Ａｖをスライダバー画像３４０の位置に対応する値に設定し、さらに、Ａｖの設定値に応じて最適なＴｖ値を算出する。そして、制御部１６は、Ｔｖを当該最適値に設定し、点Ｐ１をＴｖ／Ａｖの設定値に対応する位置に移動させる。また、制御部１６は、基準線３３０を表示する。ここで、基準線３３０上の各点が示すＴｖ／Ａｖ値は、点Ｐ１と同じ露光量を示す。
【００６６】
したがって、基準線３３０は露光量の最適値を示すグラフとして固定され、点Ｐ１は、基準線３３０上を矢印３４０ａ、３４０ｂ方向及び矢印３１０ａ、３１０ｂ方向に移動する。なお、制御部１６は、ＩＳＯバー画像４００を第１の表示例と同様に制御する。したがって、ユーザは、Ａｖ及びＩＳＯ値をダイナミックかつグラフィカルに設定することができる。さらに、ユーザは、Ａｖの変動によってＴｖがどのように変動するかをダイナミックかつグラフィカルに把握することができる。
【００６７】
（１−４−４．第４の表示例）
次に、図７に基づいて、第４の表示例について説明する。第４の表示例は、ユーザが撮像モードとしてＳモード（シャッタースピード優先モード）を選択した場合に表示される。第４の表示例でも、制御部１６は、Ｔｖ／Ａｖ平面画像３００及びＩＳＯバー画像４００を表示するが、以下の点が第１の表示例と異なる。
【００６８】
このモードでは、制御部１６は、スライダバー画像３５０をＴｖ／Ａｖ平面画像３００の近傍、より具体的には、横軸３１０の近傍に表示する。このモードでは、制御部１６は、ユーザによるＴｖ／Ａｖ平面画像３００内のタップ（またはドラッグアンドドロップ）操作を受け付けず、そのかわり、スライダバー画像３５０の操作を受け付ける。
【００６９】
すなわち、制御部１６は、ユーザによる入力操作に応じてスライダバー画像３５０を矢印３５０ａ、または矢印３５０ｂ方向に移動する。入力操作としては、例えば、スライダバー画像３５０を指でタップし、指を矢印３５０ａ、または矢印３５０ｂ方向にドラッグする方法があげられる。制御部１６は、Ｔｖをスライダバー画像３５０の位置に対応する値に設定し、さらに、Ｔｖの設定値に応じて最適なＡｖ値を算出する。そして、制御部１６は、Ａｖを当該最適値に設定し、点Ｐ１をＴｖ／Ａｖの設定値に対応する位置に移動させる。また、制御部１６は、基準線３３０を表示する。ここで、基準線３３０上の各点が示すＴｖ／Ａｖ値は、点Ｐ１と同じ露光量を示す。
【００７０】
したがって、基準線３３０は露光量の最適値を示すグラフとして固定され、点Ｐ１は、基準線３３０上を矢印３５０ａ、３５０ｂ方向及び矢印３２０ａ、３２０ｂ方向に移動する。なお、制御部１６は、ＩＳＯバー画像４００を第１の表示例と同様に制御する。したがって、ユーザは、Ｔｖ及びＩＳＯ値をダイナミックかつグラフィカルに設定することができる。さらに、ユーザは、Ｔｖの変動によってＡｖがどのように変動するかをダイナミックかつグラフィカルに把握することができる。
【００７１】
（１−４−５．第５の表示例）
次に、図８に基づいて、第５の表示例について説明する。第５の表示例は、ユーザが撮像モードとしてＰモード（プログラムモード）を選択した場合に表示される。第５の表示例でも、制御部１６は、Ｔｖ／Ａｖ平面画像３００及びＩＳＯバー画像４００を表示するが、以下の点が第１の表示例と異なる。
【００７２】
このモードでは、制御部１６は、Ｔｖ／Ａｖ値の最適値を算出し、Ｔｖ／Ａｖ値を当該最適値に設定する。そして、制御部１６は、点Ｐ１をＴｖ／Ａｖの設定値に対応する位置に移動させる。また、制御部１６は、基準線３３０を表示する。ここで、基準線３３０上の各点が示すＴｖ／Ａｖ値は、点Ｐ１と同じ露光量を示す。制御部１６は、基準線３３０を固定する。そして、制御部１６は、基準線３３０上をタップ（またはドラッグアンドドロップ）する入力操作を受け付け、当該入力操作に応じて点Ｐ１を基準線３３０上で移動させる。すなわち、制御部１６は、点Ｐ１を矢印３３０ａ、３３０ｂ方向に移動させる。そして、制御部１６は、Ｔｖ／Ａｖ値の設定値を移動後の点Ｐ１が示すＴｖ／Ａｖ値に変更する。
【００７３】
なお、制御部１６は、Ｔｖ／Ａｖ平面画像３００のうち、基準線３３０以外の領域でタップ（またはドラッグアンドドロップ）操作が行われた場合、当該入力操作に応じて点Ｐ１を基準線３３０上で移動させてもよい。例えば、制御部１６は、ユーザが基準線３３０外の領域で基準線３３０と平行な方向に指をドラッグした場合、点Ｐ１を指の移動方向に動かしてもよい。
【００７４】
なお、制御部１６は、ＩＳＯバー画像４００を第１の表示例と同様に制御する。したがって、ユーザは、Ｔｖ／Ａｖ値及びＩＳＯ値をダイナミックかつグラフィカルに設定することができる。さらに、ユーザは、露光量が最適となるＴｖ／Ａｖ値をダイナミックかつグラフィカルに把握することができる。
【００７５】
（１−４−６．第６の表示例）
次に、図９に基づいて第６の表示例について説明する。第６の表示例でも、制御部１６は、Ｔｖ／Ａｖ平面画像３００及びＩＳＯバー画像４００を表示するが、以下の点が第１の表示例と異なる。
【００７６】
制御部１６は、ＩＳＯバー画像４００の長さを第１の表示例よりも長くする。そして、制御部１６は、ＩＳＯバー画像４００の上端部近傍に最大値指定インジケータ４１０ｂ及び最大値表示画像４１０ａを表示する。最大値指定インジケータ４１０ｂは矢印形状となっており、ＩＳＯバー画像４００のうち、ＩＳＯ値の最大値に対応する点を示す。制御部１６は、ＩＳＯバー画像４００の下端部近傍に最小値指定インジケータ４２０ｂ及び最小値表示画像４２０ａを表示する。最大値指定インジケータ４１０ｂは矢印形状となっており、ＩＳＯバー画像４００のうち、ＩＳＯ値の最大値に対応する点を示す。
【００７７】
さらに、制御部１６は、Ｔｖ／Ａｖ値に対応するＩＳＯ値の最適値を算出し、基準線３３０とＩＳＯバー画像４００との交点Ｐ２が当該最適値を示すように、ＩＳＯバー画像４００を表示する。なお、制御部１６は、基準線３３０とＩＳＯバー画像４００との交点Ｐ２が予め設定された初期値を示すように、ＩＳＯバー画像４００を表示してもよい。
【００７８】
さらに、制御部１６は、ＩＳＯ値調整用矢印画像４４０を点Ｐ２に表示する。ＩＳＯ値調整用矢印画像４４０は矢印形状となっており、ＩＳＯバー画像４００上のいずれかの点、すなわちＩＳＯ値を示す。制御部１６は、ユーザの入力操作に応じてＩＳＯ値調整用矢印画像４４０を矢印４００ａまたは矢印４００ｂ方向に移動させる。ここで、入力操作としては、ＩＳＯ値調整用矢印画像４４０をドラッグアンドドロップする操作、ＩＳＯバー画像４００上の所望の点をタップする操作等があげられる。そして、制御部１６は、ＩＳＯ値の設定値をＩＳＯ値調整用矢印画像４４０が示すＩＳＯ値に変更する。ＩＳＯ値調整用矢印画像４４０の可動範囲は最大値指定インジケータ４１０ｂ及び最小値指定インジケータ４２０ｂとの間である。
【００７９】
また、制御部１６は、基準線３３０が移動した場合には、ＩＳＯバー画像４００を基準線３３０に追従させる。具体的には、制御部１６は、変更後のＴｖ／Ａｖ値に応じたＩＳＯ値の最適値を算出し、基準線３３０とＩＳＯバー画像４００との交点Ｐ２が当該最適値を示すように、ＩＳＯバー画像４００を移動させる。制御部１６は、点Ｐ２が予め設定された初期値を示すように、ＩＳＯバー画像４００を移動させてもよい。
【００８０】
さらに、制御部１６は、ＩＳＯ値の設定値を最適値に設定し、ＩＳＯ値調整用矢印画像４４０を点Ｐ２に戻す。制御部１６は、ＩＳＯ値を現在の値（Ｔｖ／Ａｖ値の変更前のＩＳＯ値）に維持してもよい。この場合、ＩＳＯバー画像４００中のＩＳＯ値調整用矢印画像４４０の位置はＴｖ／Ａｖ値の変更前の位置に維持される。
【００８１】
さらに、制御部１６は、Ｔｖ／Ａｖ平面画像３００及びＩＳＯバー画像４００に明暗のグラデーションを付与する。このグラデーションは省略されてもよく、Ｔｖ／Ａｖ平面画像３００及びＩＳＯバー画像４００のいずれか一方にのみ付与されてもよい。
【００８２】
第６の表示例によっても、ユーザは、Ｔｖ／Ａｖ値及びＩＳＯ値をグラフィカルかつダイナミックに（フレキシブルに）設定することができる。また、制御部１６は、ＩＳＯ値を調整するに際して、ＩＳＯバー画像４００を固定してＩＳＯ値調整用矢印画像４４０を移動させるので、表示部１４のスペース効率を向上させることができる。具体的には、制御部１６は、ＩＳＯ値の調整時にＩＳＯバー画像４００を固定するので、ＩＳＯバー画像４００によって隠れるスルー画像１０００の領域を低減することができる。また、例えば、ＩＳＯ値の調整時にＩＳＯバー画像４００が上方に移動した場合、ＩＳＯバー画像４００の上端部が表示部１４の表示領域外にはみ出す可能性がある。しかし、本表示例では、制御部１６は、ＩＳＯ値の調整時にＩＳＯバー画像４００を固定するので、ＩＳＯバー画像４００の上端部が表示部１４の表示領域外にはみ出す可能性を低減することができる。
【００８３】
なお、制御部１６は、ＩＳＯバー画像４００を固定してグラデーションのみを移動させてもよく、設定値表示画像４３０内の数値のみを移動させてもよい。
（１−４−７．第７の表示例）
次に、図１０に基づいて第７の表示例について説明する。第７の表示例でも、制御部１６は、Ｔｖ／Ａｖ平面画像３００及びＩＳＯバー画像４００を表示するが、以下の点が第１の表示例と異なる。
【００８４】
すなわち、制御部１６は、表示窓画像４０１を表示し、表示窓画像４０１内でＩＳＯバー画像４００を表示する。制御部１６は、表示窓画像４０１の位置を固定する。また、制御部１６は、ＩＳＯバー画像４００が表示窓画像４０１からはみ出た場合、はみ出た部分を非表示とする（透過表示としてもよい）。
【００８５】
第７の表示例によっても、ユーザは、Ｔｖ／Ａｖ値及びＩＳＯ値をグラフィカルかつダイナミックに（フレキシブルに）設定することができる。また、制御部１６は、表示窓画像４０１内にＩＳＯバー画像４００を表示し、表示窓画像４０１を固定するので、表示部１４のスペース効率を向上させることができる。具体的には、制御部１６は、表示窓画像４０１内にＩＳＯバー画像４００を表示するので、ＩＳＯバー画像４００によって隠れるスルー画像１０００の領域を低減することができる。また、例えば、表示窓画像４０１を表示せずにＩＳＯバー画像４００を移動させるようにした場合、ＩＳＯバー画像４００の移動状況によってはＩＳＯバー画像４００の端部が表示窓画像４０１の外にはみ出す可能性がある。しかし、本表示例では、制御部１６は、表示窓画像４０１からはみ出た部分を非表示とするので、ＩＳＯバー画像４００の端部が表示部１４の表示領域外にはみ出す可能性を低減することができる。
【００８６】
（１−４−８．第８の表示例）
次に、図１１及び図１２に基づいて、第８の表示例について説明する。第８の表示例でも、制御部１６は、Ｔｖ／Ａｖ平面画像３００及びＩＳＯバー画像４００を表示するが、以下の点が第１の表示例と異なる。
【００８７】
制御部１６は、図１１に示すように、Ｔｖ／Ａｖ平面画像３００を表示する。制御部１６は、Ｔｖ／Ａｖ平面画像３００に関しては、第１の表示例と同様の処理を行う。制御部１６は、ユーザからＩＳＯ値の設定要求があるまではＴｖ／Ａｖ平面画像３００を用いてＴｖ／Ａｖ値の設定及び点Ｐ１の移動を行う。なお、制御部１６は、基準線３３０は表示してもしなくてもよい。また、ＩＳＯ値の設定要求としては、例えば点Ｐ１を所定時間以上指でタッチすること等があげられる。
【００８８】
制御部１６は、ユーザからＩＳＯ値の設定要求があった場合には、図１２に示すように、Ｔｖ／Ａｖ平面画像３００を表示部１４の奥側に回転させる。さらに、制御部１６は、点Ｐ１を通るＩＳＯバー画像４００を表示する。ＩＳＯバー画像４００は、Ｔｖ／Ａｖ平面画像３００と垂直な方向に伸びる。また、制御部１６は、設定値表示画像４３０、最大値表示画像４１０ａ、及び最小値表示画像４２０ａを第１の表示例と同様に表示する。また、制御部１６は、ＩＳＯバー画像４００とＴｖ／Ａｖ平面画像３００との交点Ｐ１が示すＩＳＯ値をＩＳＯ値の設定値とする。また、制御部１６は、ユーザによる入力操作に応じてＩＳＯバー画像４００を矢印４００ｃまたは矢印４００ｄ方向に移動させる。ここで、入力操作としては、例えば、ＩＳＯバー画像４００を指でタップし、指を矢印４００ｃ、または矢印４００ｄ方向にドラッグする方法があげられる。これにより、点Ｐ１が示すＩＳＯ値も変動するので、ＩＳＯ値の設定値も変動する。
【００８９】
制御部１６は、ユーザからＴｖ／Ａｖ値の設定要求があった場合には、Ｔｖ／Ａｖ平面画像３００を表示部１４の手前側に回転させることで、図１１に示すＴｖ／Ａｖ平面画像３００を表示する。ここで、Ｔｖ／Ａｖ値の設定要求としては、例えば点Ｐ１を所定時間以上指でタッチすること等があげられる。
【００９０】
第８の表示例によっても、ユーザは、Ｔｖ／Ａｖ値及びＩＳＯ値をグラフィカルかつダイナミックに（フレキシブルに）設定することができる。また、Ｔｖ／Ａｖ平面画像３００及びＩＳＯバー画像４００が３次元表示されるので、ユーザは、Ｔｖ／Ａｖ値及びＩＳＯ値をより直感的に把握することができる。
【００９１】
なお、制御部１６は、図１１に示すＴｖ／Ａｖ平面画像３００の代わりに図１２に示すＴｖ／Ａｖ平面画像３００を表示し、このＴｖ／Ａｖ平面画像３００を用いてＴｖ／Ａｖ値の設定を行ってもよい。
【００９２】
（１−４−９．第９の表示例）
次に、図１３に基づいて、第９の表示例について説明する。この例では、制御部１６は、第６の表示例と同様の画像を表示する。ただし、ＩＳＯバー画像４００が水平方向に伸びる点で第６の表示例と異なる。制御部１６は、ユーザによる入力操作に応じて、ＩＳＯバー画像４００を水平方向に移動させる。ＩＳＯバー画像４００に関する他の処理は第１の表示例と同様であればよい。この表示例によっても、ユーザは、Ｔｖ／Ａｖ値及びＩＳＯ値をグラフィカルかつダイナミックに（フレキシブルに）設定することができる。
【００９３】
また、制御部１６は、ＩＳＯバー画像４００を水平方向に伸ばすので、表示部１４のスペース効率を向上することができる。すなわち、ＩＳＯバー画像４００は水平方向に伸びるので、制御部１６は、ＩＳＯバー画像４００を表示部１４の端に沿って表示させることができる。したがって、ＩＳＯバー画像４００が他の画像の邪魔になりにくい。なお、第９の表示例は、第６の表示例以外の他の表示例、例えば第１の表示例にも適用可能なことはもちろんである。
【００９４】
（１−４−１０．第１０の表示例）
次に、図１４に基づいて、第１０の表示例について説明する。上述した各表示例では、基準線３３０を露光量が一定のＴｖ／Ａｖ値を連結したものとした。しかし、基準線３３０はこの形態に限られない。第１０の表示例は、基準線３３０の他の例を示すものである。
【００９５】
制御部１６は、第１の表示例と同様にＴｖ／Ａｖ平面画像３００を表示するが、基準線３３０を点Ｐ１から鉛直下方に伸ばす。そして、制御部１６は、ＩＳＯバー画像４００をＴｖ／Ａｖ平面画像３００の下方に表示し、かつ、水平方向に伸ばす。そして、制御部１６は、基準線３３０とＩＳＯバー画像４００との交点Ｐ２が示すＩＳＯ値をＩＳＯ値の設定値とする。制御部１６は、ユーザによる入力操作に応じて、ＩＳＯバー画像４００を水平方向に移動させる。ＩＳＯバー画像４００に関する他の処理は第１の表示例と同様であればよい。
【００９６】
この表示例によっても、ユーザは、Ｔｖ／Ａｖ値及びＩＳＯ値をグラフィカルかつダイナミックに（フレキシブルに）設定することができる。
【００９７】
なお、制御部１６は、基準線３３０を省略してもよい。また、制御部１６は、基準線３３０を省略した場合、必ずしも点Ｐ１の鉛直下方に点Ｐ２を配置する必要はない。すなわち、制御部１６は、Ｔｖ／Ａｖ値に応じたＩＳＯ値の最適値を算出し、その最適値に対応する点Ｐ２をＩＳＯバー画像４００上に表示すればよい。また、制御部１６は、点Ｐ２を通り、かつＩＳＯバー画像４００に直交する基準線を表示し、ＩＳＯバー画像４００をユーザによる入力操作に応じて水平方向に移動させる。そして、制御部１６は、基準線とＩＳＯバー画像４００との交点が示すＩＳＯ値をＩＳＯ値の設定値とすればよい。
【００９８】
（１−４−１１．第１１の表示例）
次に、図１５及び図１６に基づいて、第１１の表示例について説明する。上述した各表示例では、ＩＳＯバー画像４００はＴｖ／Ａｖ平面画像３００とは別の画像として表示されていた。しかし、ＩＳＯバー画像４００はＴｖ／Ａｖ平面画像３００に組み込まれていてもよい。第１１の表示例及び第１２の表示例は、ＩＳＯバー画像４００がＴｖ／Ａｖ平面画像３００に組み込まれた例を示す。
【００９９】
制御部１６は、第１の表示例と同様にＴｖ／Ａｖ平面画像３００及び基準線３３０を表示する。また、制御部１６は、他の画像、すなわちダイヤル画像５００、フォーカスモード選択画像６００、及び撮像パラメータ表示画像７００を表示する。
【０１００】
さらに、制御部１６は、ＩＳＯバー画像４００がＴｖ／Ａｖ平面画像３００に組み込まれていることを明示するため、ＩＳＯ調整用直線画像４５０を点Ｐ１から基準線３３０に直交する方向に伸ばす。さらに、制御部１６は、ＩＳＯ調整用直線画像４５０の上端にＩＳＯ減インジケータ４５０ｂを表示し、ＩＳＯ調整用直線画像４５０の下端にＩＳＯ増インジケータ４５０ａを表示する。ＩＳＯ調整用直線画像４５０、ＩＳＯ増インジケータ４５０ａ、及びＩＳＯ減インジケータ４５０ｂは、ＩＳＯ値を調整するための操作方向を示す。
【０１０１】
そして、制御部１６は、ユーザからＩＳＯ値の設定要求があるまではＴｖ／Ａｖ平面画像３００を用いてＴｖ／Ａｖ値の設定及び点Ｐ１の移動を行う。また、制御部１６は、基準線３３０及びＩＳＯ調整用直線画像４５０を点Ｐ１に追従させる。なお、制御部１６は、基準線３３０は表示してもしなくてもよい。また、ＩＳＯ値の設定要求としては、例えば点Ｐ１を所定時間以上指でタッチすること等があげられる。
【０１０２】
制御部１６は、ユーザからＩＳＯ値の設定要求があった場合には、図１６に示すように、ダイヤル画像５００、及びフォーカスモード選択画像６００を消失させ、Ｔｖ／Ａｖ平面画像３００に明暗グラデーションを付与する。この明暗グラデーションは第２の表示例と同様にＩＳＯ値を示す。
【０１０３】
そして、制御部１６は、ユーザによる入力操作に応じてグラデーション全体を移動させる。例えば、制御部１６は、ユーザが指を右下方向にドラッグした場合には、グラデーション全体を右下方向に移動させる。この場合、点Ｐ１の明るさは増加する。一方、制御部１６は、ユーザが指を左上方向にドラッグした場合には、グラデーション全体を左上方向に移動させる。この場合、点Ｐ１の明るさは減少する。そして、制御部１６は、点Ｐ１の明るさに対応するＩＳＯ値をＩＳＯ値の設定値とする。
【０１０４】
なお、制御部１６は、ユーザからＴｖ／Ａｖ値の設定要求があった場合には、図１５に示すＴｖ／Ａｖ平面画像３００等を表示する。
【０１０５】
第１１の表示例によれば、ユーザは、Ｔｖ／Ａｖ値及びＩＳＯ値をグラフィカルかつダイナミックに（フレキシブルに）設定することができる。さらに、ＩＳＯ値が明暗グラデーションによって表示されるので、ユーザは、Ｔｖ／Ａｖ値及びＩＳＯ値をより直感的に把握することができる。また、ユーザは、明暗グラデーションの勾配方向、ＩＳＯ調整用直線画像４５０、ＩＳＯ増インジケータ４５０ａ、ＩＳＯ減インジケータ４５０ｂを参照することによってＩＳＯ値を増減させるための操作方向を容易に把握することができる。また、明暗グラデーションはＩＳＯ値の設定中に表示されるので、ユーザは、ＩＳＯ値の設定を行わない場合には、被写体に意識を集中させることができる。
【０１０６】
（１−４−１２．第１２の表示例）
次に、図１７及び図１８に基づいて、第１２の表示例について説明する。制御部１６は、第１の表示例と同様にＴｖ／Ａｖ平面画像３００及び基準線３３０を表示する。また、制御部１６は、他の画像、すなわちダイヤル画像５００、フォーカスモード選択画像６００、及び撮像パラメータ表示画像７００を表示する。
【０１０７】
さらに、制御部１６は、ＩＳＯバー画像４００がＴｖ／Ａｖ平面画像３００に組み込まれていることを明示するため、ＩＳＯ設定値表示画像４３０を点Ｐ１の近傍に表示する。なお、ＩＳＯ設定値表示画像４３０が示すＩＳＯ値は、例えばＴｖ／Ａｖ値に応じた最適値または予め設定された初期値であればよい。最適値は制御部１６によって算出される。
【０１０８】
制御部１６は、ユーザからＩＳＯ値の設定要求があった場合には、図１８に示すように、ダイヤル画像５００、及びフォーカスモード選択画像６００を消失させる。ＩＳＯ値の設定要求としては、例えば点Ｐ１を所定時間以上指でタッチすること等があげられる。さらに、制御部１６は、背景画像４７０をＴｖ／Ａｖ平面画像３００の背後に表示し、背景画像４７０に明暗グラデーションを付与する。この明暗グラデーションは、第２の表示例と同様にＩＳＯ値を示す。
【０１０９】
また、制御部１６は、点Ｐ１から右下方向に伸びるＩＳＯ増矢印画像４６０ａと点Ｐ１から左上方向に伸びるＩＳＯ減矢印画像４６０ｂを表示する。さらに、制御部１６は、ＩＳＯ増矢印画像４６０ａの先端にＩＳＯ増インジケータ４６０ａ−１を表示し、ＩＳＯ減矢印画像４６０ｂの先端にＩＳＯ減インジケータ４６０ｂ−１を表示する。ＩＳＯ増矢印画像４６０ａ、ＩＳＯ増インジケータ４６０ａ−１、ＩＳＯ減矢印画像４６０ｂ、ＩＳＯ減インジケータ４６０ｂ−１は、ＩＳＯ値を調整するための操作方向を示す。
【０１１０】
そして、制御部１６は、ユーザによる入力操作に応じて背景画像４７０、すなわちグラデーション全体を移動させる。例えば、制御部１６は、ユーザが指を右下方向にドラッグした場合には、背景画像４７０を右下方向に移動させる。この場合、点Ｐ１の明るさは増加する。一方、制御部１６は、ユーザが指を左上方向にドラッグした場合には、背景画像４７０を左上方向に移動させる。この場合、点Ｐ１の明るさは減少する。そして、制御部１６は、点Ｐ１の明るさに対応するＩＳＯ値をＩＳＯ値の設定値とする。
【０１１１】
なお、制御部１６は、ユーザからＴｖ／Ａｖ値の設定要求があった場合には、図１７に示すＴｖ／Ａｖ平面画像３００等を表示する。
【０１１２】
第１２の表示例によれば、ユーザは、Ｔｖ／Ａｖ値及びＩＳＯ値をグラフィカルかつダイナミックに（フレキシブルに）設定することができる。さらに、ＩＳＯ値が明暗グラデーションによって表示されるので、ユーザは、Ｔｖ／Ａｖ値及びＩＳＯ値をより直感的に把握することができる。また、ユーザは、明暗グラデーションの勾配方向、ＩＳＯ増矢印画像４６０ａ、及びＩＳＯ増インジケータ４６０ａ−１等を参照することによってＩＳＯ値を増減させるための操作方向を容易に把握することができる。
【０１１３】
（１−４−１３．第１３の表示例）
次に、図１９に基づいて第１３の表示例について説明する。第１３の表示例では、制御部１６は、第１の表示例と同様の画像の他、アンドゥボタン８１０、リセットボタン８２０、及びロックボタン８３０を表示する。制御部１６は、ユーザがアンドゥボタン８１０をタップした場合、各画像の状態をユーザによる１手前の操作が行われた状態に戻す。制御部１６は、リセットボタン８２０がタップされた場合には、表示状態を初期状態に戻す。すなわち、制御部１６は、Ｔｖ／Ａｖ値、及びＩＳＯ値の最適値を算出し、当該最適値にもとづいて、点Ｐ１の位置、基準線３３０の位置、及びＩＳＯバー画像４００の位置を調整する。制御部１６は、ロックボタン８３０がタップされた場合には、ユーザによる入力操作を排除する（受け付けない）。制御部１６は、ロックボタン８３０が再度タップされた場合には、ユーザによる当該入力操作を受け付ける。
【０１１４】
この表示例によっても、ユーザは、Ｔｖ／Ａｖ値及びＩＳＯ値をグラフィカルかつダイナミックに（フレキシブルに）設定することができる。さらに、ユーザにとって、Ｔｖ／Ａｖ平面画像３００及びＩＳＯバー画像４００の使い勝手が向上する。
【０１１５】
なお、上述した表示例は適宜組み合わされても良い。例えば、明暗グラデーションは第２の表示例以外の表示例に適用されてもよい。また、第１３の表示例で表示されたアンドゥボタン８１０、リセットボタン８２０、及びロックボタン８３０は、他の表示例でも表示されてもよい。また、アンドゥボタン８１０、リセットボタン８２０、及びロックボタン８３０のうちいずれかの表示が省略されていても良い。これらのボタンの一部はハードキーであってもよい。
【０１１６】
以上により、第１の実施形態によれば、情報処理装置１０は、第１の撮像パラメータを設定するための第１の設定画像と、第２の撮像パラメータを設定するための第２の設定画像とを関連付けて表示する。したがって、ユーザは、互いに関連付けられた複数の設定画像を視認しながら複数の撮像パラメータを設定することができる。これにより、ユーザは、複数の設定画像を用いて複数の撮像パラメータを設定する場合に、これらの撮像パラメータの関連性を直感的に把握することができ、ひいては、これらの撮像パラメータを直感的に設定できる。
【０１１７】
また、情報処理装置１０は、第２の設定画像を、第１の撮像パラメータの設定値に応じた位置に表示する。したがって、ユーザは、複数の撮像パラメータを直感的に把握することができる。
【０１１８】
より具体的には、情報処理装置１０は、第１の撮像パラメータの設定値に応じた基準線を表示する制御を行い、第２の設定画像を基準線と交差する位置に表示する。したがって、ユーザは、複数の撮像パラメータを直感的に把握することができる。
【０１１９】
より具体的には、第２の設定画像上の各点は、第２の撮像パラメータの値を示し、情報処理装置１０は、第２の設定画像と基準線とが交差する点を第２の撮像パラメータの設定値とする。したがって、ユーザは、複数の撮像パラメータを直感的に把握することができる。
【０１２０】
より具体的には、情報処理装置１０は、複数の第１の撮像パラメータを設定するための空間画像（例えば平面画像）を第１の設定画像として表示する。したがって、ユーザは、複数の第１の撮像パラメータを直感的に把握することができる。
【０１２１】
より具体的には、情報処理装置１０は、シャッタースピード（Ｔｖ）及び絞り値（Ａｖ）を設定するためのＴｖ／Ａｖ平面画像３００を第１の設定画像として表示し、ＩＳＯ値を設定するためのＩＳＯバー画像４００を第２の設定画像として表示する。したがって、ユーザは、Ｔｖ／Ａｖ値及びＩＳＯ値を直感的に把握することができる。
【０１２２】
また、情報処理装置１０は、第２の設定画像を第１の設定画像に組込むので、ユーザは、複数の撮像パラメータを直感的に把握することができる。
【０１２３】
また、情報処理装置１０は、第２の設定画像を第１の設定画像の背景画像に含ませるので、ユーザは、複数の撮像パラメータを直感的に把握することができる。
【０１２４】
＜２．２．第２の実施形態＞
つぎに、第２の実施形態について説明する。第２の実施形態では、情報処理装置と撮像装置とが分割されている。
【０１２５】
（２−１．情報処理システムの全体構成）
まず、図２０に基づいて、第２の実施形態に係る情報処理システムの構成について説明する。情報処理システムは、情報処理装置１０及び撮像装置２０を備える。情報処理装置１０及び撮像装置２０は、互いに通信する事が可能である。情報処理装置１０は、上述した第１の実施形態と同様の処理を行う。ただし、情報処理装置１０は、スルー画像及び撮像画像を撮像装置２０との通信によって取得する。また、情報処理装置１０は、Ｔｖ／Ａｖ値及びＩＳＯ値の設定値に関する設定値情報を撮像装置２０に出力する。
【０１２６】
（２−２．撮像装置の構成）
情報処理装置１０の構成は第１の実施形態で示した通りである。なお、第２の実施形態では、情報処理装置１０は撮像部１３を有していなくてもよい。そこで、ここでは撮像装置２０の構成について説明する。
【０１２７】
図２１に示すように、撮像装置２０は、記憶部２１、通信部２２、撮像部２３、表示部２４、操作部２５、及び制御部２６を備える。記憶部２１は、撮像装置２０に記憶部２１、通信部２２、撮像部２３、表示部２４、操作部２５、及び制御部２６を実現させるためのプログラム、及び各種画像情報を記憶する。
【０１２８】
通信部２２は、情報処理装置１０との間で通信を行う。例えば通信部２２は、制御部２６から与えられたスルー画像を情報処理装置１０に送信する。また、通信部２２は、情報処理装置１０から与えられた設定値情報を制御部２６に出力する。撮像部２３は、撮像を行う。具体的には、撮像部２３は、ユーザが撮像操作（例えば図示しないシャッターボタンを押下する）を行うまでは、撮像素子に取り込まれた画像をスルー画像として制御部２６に出力する。撮像部２３は、ユーザが撮像操作を行った場合には、Ｔｖ／Ａｖ値及びＩＳＯ値の設定値に応じた撮像を行う（具体的には、シャッターを切る等の動作を行う）。そして、撮像部２３は、撮像素子に取り込まれた画像を撮像画像として制御部２６に出力する。
【０１２９】
表示部２４は各種画像、例えばスルー画像、及び撮像画像を表示する。表示部２４は、Ｔｖ／Ａｖ値及びＩＳＯ値の設定値を表示してもよい。操作部２５は、いわゆるハードキーを含み、撮像装置２０の各部位に配置される。操作部２５は、ユーザが行った入力操作に関する操作情報を制御部２６に出力する。制御部２６は、撮像装置２０全体を制御する他、スルー画像を通信部２２に出力する。また、制御部２６は、設定値情報に基づいて撮像部２３の設定を行う。
【０１３０】
撮像装置２０は、図２２に示すハードウエア構成を有し、これらのハードウエア構成によって上記の記憶部２１、通信部２２、撮像部２３、表示部２４、操作部２５、及び制御部２６が実現される。
【０１３１】
すなわち、撮像装置２０は、ハードウエア構成として、不揮発性メモリ２０１と、ＲＡＭ２０２と、通信装置２０３と、撮像用ハードウエア２０４と、ディスプレイ２０５と、操作装置（ハードキー等）２０６と、ＣＰＵ２０７とを備える。
【０１３２】
不揮発性メモリ２０１は、各種プログラム及び画像情報等を記憶する。ここで、当該プログラムには、撮像装置２０に記憶部２１、通信部２２、撮像部２３、表示部２４、操作部２５、及び制御部２６を実現させるためのプログラムが含まれる。
【０１３３】
ＲＡＭ２０２は、ＣＰＵ２０７による作業領域となるものである。通信装置２０３は、情報処理装置１０と通信を行う。撮像用ハードウエアは、上記の撮像装置１０４と同様の構成を有する。すなわち、撮像用ハードウエアは、撮像を行うことで、撮像画像を生成する。ディスプレイ２０５は、各種画像情報を表示する。ディスプレイ２０５は、音声情報を出力しても良い。操作装置２０６は、ユーザによる各種入力操作を受け付ける。
【０１３４】
ＣＰＵ２０７は、不揮発性メモリ２０１に記憶されたプログラムを読みだして実行する。したがって、ＣＰＵ２０７が不揮発性メモリ２０１に記憶されたプログラムを読みだして実行することで、撮像装置２０に記憶部２１、通信部２２、撮像部２３、表示部２４、操作部２５、及び制御部２６が実現される。すなわち、ＣＰＵ２０７は、撮像装置２０の実質的な動作主体となりうるものである。
【０１３５】
（２−３．情報処理システムによる処理の手順）
情報処理システムによる処理は上述した情報処理装置１０による処理と同様である。ただし、撮像装置２０がスルー画像を作製して情報処理装置１０に送信すること、情報処理装置１０から設定値情報を撮像装置２０に送信する点が第１の実施形態と異なる。なお、第１〜第１３の表示例は第２の実施形態にも当然に適用可能である。
【０１３６】
第２の実施形態によっても、ユーザは、Ｔｖ／Ａｖ値及びＩＳＯ値をグラフィカルかつダイナミックに（フレキシブルに）設定することができる。また、ユーザは、情報処理装置１０を用いて撮像装置２０の撮像パラメータを遠隔操作することができるので、Ｔｖ／Ａｖ平面画像３００及びＩＳＯバー画像４００の使い勝手がさらに向上する。
【０１３７】
なお、第１及び第２の実施形態は、本明細書中に記載されたいずれかの効果、または他の効果を有するものであってもよい。
【０１３８】
以上、添付図面を参照しながら本開示の好適な実施形態について詳細に説明したが、本開示の技術的範囲はかかる例に限定されない。本開示の技術分野における通常の知識を有する者であれば、特許請求の範囲に記載された技術的思想の範疇内において、各種の変更例または修正例に想到し得ることは明らかであり、これらについても、当然に本開示の技術的範囲に属するものと了解される。
【０１３９】
なお、以下のような構成も本開示の技術的範囲に属する。
（１）
撮像に関する第１の撮像パラメータを設定するための第１の設定画像と、撮像に関する第２の撮像パラメータを設定するための第２の設定画像とを関連付けて表示する制御を行う制御部と、
前記第１の撮像パラメータ及び前記第２の撮像パラメータを設定するための入力操作が可能な入力操作部と、を備える、情報処理装置。
（２）
前記制御部は、前記第２の設定画像を、前記第１の撮像パラメータの設定値に応じた位置に表示する制御を行う、前記（１）記載の情報処理装置。
（３）
前記制御部は、前記第１の撮像パラメータの設定値に応じた基準線を表示する制御を行い、前記第２の設定画像を前記基準線と交差する位置に表示する、前記（２）記載の情報処理装置。
（４）
前記第２の設定画像上の各点は、前記第２の撮像パラメータの値を示し、
前記制御部は、前記第２の設定画像と前記基準線とが交差する点を前記第２の撮像パラメータの設定値とする、前記（３）記載の情報処理装置。
（５）
前記制御部は、複数の前記第１の撮像パラメータを設定するための空間画像を前記第１の設定画像として表示する制御を行う、前記（１）〜（４）のいずれか１項に記載の情報処理装置。
（６）
前記第１の撮像パラメータには、シャッタースピード及び絞り値が含まれ、
前記第２の撮像パラメータには、ＩＳＯ値が含まれる、前記（５）記載の情報処理装置。
（７）
前記制御部は、シャッタースピード及び絞り値を設定するための平面画像を前記第１の設定画像として表示し、ＩＳＯ値を設定するためのバー画像を前記第２の設定画像として表示する制御を行う、前記（６）記載の情報処理装置。
（８）
前記制御部は、前記第２の設定画像を前記第１の設定画像に組込む、前記（１）または（２）記載の情報処理装置。
（９）
前記制御部は、前記第２の設定画像を前記第１の設定画像の背景画像に含ませる、前記（８）記載の情報処理装置。
（１０）
撮像に関する第１の撮像パラメータを設定するための第１の設定画像と、撮像に関する第２の撮像パラメータを設定するための第２の設定画像とを関連付けて表示する制御を行うことと、
入力操作に応じて、前記第１の撮像パラメータ及び前記第２の撮像パラメータを設定することと、を含む、情報処理方法。
（１１）
コンピュータに、
撮像に関する第１の撮像パラメータを設定するための第１の設定画像と、撮像に関する第２の撮像パラメータを設定するための第２の設定画像とを関連付けて表示する制御を行う制御機能と、
前記第１の撮像パラメータ及び前記第２の撮像パラメータを設定するための入力操作が可能な入力操作機能と、を実現させる、プログラム。
【符号の説明】
【０１４０】
１０  情報処理装置
１１、２１  記憶部
１２、２２  通信部
１３、２３  撮像部
１４、２４  表示部
１５、２５  操作部
１６、２６  制御部
２０  撮像装置
１０１、２０１  不揮発性メモリ
１０２、２０２  ＲＡＭ
１０３、２０３  通信装置
１０４  撮像装置
１０５、２０５  ディスプレイ
１０６  タッチパネル
２０４  撮像用ハードウエア
２０６  操作装置（ハードキー等）
２１０  表示レイヤインジケータ
３００  Ｔｖ／Ａｖ平面画像
３３０  基準線
３４０、３５０  スライダバー画像
４００  ＩＳＯバー画像
４０１  表示窓画像
４７０  背景画像
５００  ダイヤル画像
６００  フォーカスモード選択画像
７００  撮像パラメータ表示画像
８００  撮像ボタン
８１０  アンドゥボタン
８２０  リセットボタン
８３０  ロックボタン
１０００  スルー画像（撮像画像）
【図１】
2018060229.tif 000003
【図２】
2018060229.tif 000004
【図３】
2018060229.tif 000005
【図４】
2018060229.tif 000006
【図５】
2018060229.tif 000007
【図６】
2018060229.tif 000008
【図７】
2018060229.tif 000009
【図８】
2018060229.tif 000010
【図９】
2018060229.tif 000011
【図１０】
2018060229.tif 000012
【図１１】
2018060229.tif 000013
【図１２】
2018060229.tif 000014
【図１３】
2018060229.tif 000015
【図１４】
2018060229.tif 000016
【図１５】
2018060229.tif 000017
【図１６】
2018060229.tif 000018
【図１７】
2018060229.tif 000019
【図１８】
2018060229.tif 000020
【図１９】
2018060229.tif 000021
【図２０】
2018060229.tif 000022
【図２１】
2018060229.tif 000023
【図２２】
2018060229.tif 000024
【手続補正書】
【提出日】平成30年2月8日(2018.2.8)
【手続補正１】
【補正対象書類名】特許請求の範囲
【補正対象項目名】全文
【補正方法】変更
【補正の内容】
【特許請求の範囲】
【請求項１】
複数の表示レイヤを作製し、
前記複数の表示レイヤのうち、いずれかの表示レイヤを表示する一方で、表示中の表示レイヤを示す表示レイヤインジケータを表示し、
操作者による表示レイヤ切替操作に応じて表示対象の表示レイヤを切り替え、
前記表示レイヤの切り替えに応じて、撮像装置に対して実行可能な処理の種類を切り替える制御を行う制御部を備える、情報処理装置。
【請求項２】
前記表示レイヤ切替操作は、操作者が指をフリックする操作である、請求項１記載の情報処理装置。
【請求項３】
前記撮像装置に対して実行可能な処理には、前記撮像装置が生成した撮像画像を表示する処理、前記撮像装置が生成したスルー画像を表示する処理、及び前記撮像装置に制御情報を送信する処理からなる群のうち何れか１種以上が含まれる、請求項１または２に記載の情報処理装置。
【請求項４】
前記制御情報には、各種設定値に関する設定値情報が含まれる、請求項３記載の情報処理装置。
【請求項５】
前記制御情報には、撮像モードの切り替えに関する情報が含まれる、請求項３または４に記載の情報処理装置。
【請求項６】
前記制御部は、前記撮像画像またはスルー画像を前記撮像装置との通信によって取得する、請求項３〜５の何れか１項に記載の情報処理装置。
【請求項７】
前記制御部は、撮像パラメータを設定する一方で、設定中の前記撮像パラメータを示す撮像パラメータ表示画像をいずれかの表示レイヤに表示する制御を行う、請求項１〜６の何れか１項に記載の情報処理装置。
【請求項８】
前記撮像パラメータには、シャッタースピード、絞り値、及びＩＳＯ値からなる群のうち少なくとも１種以上が含まれる、請求項７記載の情報処理装置。
【請求項９】
前記制御部は、特定の撮像モードが設定されている場合には、前記撮像パラメータの設定を制限する、請求項７または８に記載の情報処理装置。
【請求項１０】
制御部が、複数の表示レイヤを作製し、
前記複数の表示レイヤのうち、いずれかの表示レイヤを表示する一方で、表示中の表示レイヤを示す表示レイヤインジケータを表示し、
操作者による表示レイヤ切替操作に応じて表示対象の表示レイヤを切り替え、
前記表示レイヤの切り替えに応じて、撮像装置に対して実行可能な処理の種類を切り替える制御を行う、情報処理方法。
【請求項１１】
コンピュータに、
複数の表示レイヤを作製し、
前記複数の表示レイヤのうち、いずれかの表示レイヤを表示する一方で、表示中の表示レイヤを示す表示レイヤインジケータを表示し、
操作者による表示レイヤ切替操作に応じて表示対象の表示レイヤを切り替え、
前記表示レイヤの切り替えに応じて、撮像装置に対して実行可能な処理の種類を切り替える制御を行う制御機能を実現させる、プログラム。
【請求項１２】
互いに通信可能な撮像装置及び情報処理装置を備え、
前記情報処理装置は、
複数の表示レイヤを作製し、
前記複数の表示レイヤのうち、いずれかの表示レイヤを表示する一方で、表示中の表示レイヤを示す表示レイヤインジケータを表示し、
操作者による表示レイヤ切替操作に応じて表示対象の表示レイヤを切り替え、
前記表示レイヤの切り替えに応じて、前記撮像装置に対して実行可能な処理の種類を切り替える制御を行う制御部を備える、情報処理システム。